(57)【特許請求の範囲】
【請求項１】
導体と、
前記導体の周囲に形成された絶縁層と、
前記絶縁層の周囲に形成された遮光層と、
前記遮光層の周囲に素線を横巻きして形成されたシールド層と、
前記シールド層の周囲に形成された被覆層と、
を備え、
前記シールド層は、前記遮光層に接着固定されていることを特徴とする高周波信号伝送用同軸ケーブル。
【請求項２】
前記遮光層は、
レーザ光に対して不透明な金属層と、
前記金属層の周囲に形成された接着層と、
を備えている請求項１に記載の高周波信号伝送用同軸ケーブル。
【請求項３】
前記遮光層は、
レーザ光に対して不透明な樹脂層と、
前記樹脂層の周囲に形成された接着層と、
を備えている請求項１に記載の高周波信号伝送用同軸ケーブル。
【請求項４】
前記遮光層は、レーザ光に対して不透明な導電性接着層を備えている請求項１に記載の高周波信号伝送用同軸ケーブル。
【請求項５】
前記遮光層は、前記接着層又は前記導電性接着層よりも内側に基材となる介在層を更に備え、
前記接着層又は前記導電性接着層は、前記介在層よりも低い融点を有している請求項２から４の何れか一項に記載の高周波信号伝送用同軸ケーブル。
【請求項６】
前記遮光層は、テープを前記絶縁層の周囲にラップ巻きして形成されている請求項１から５の何れか一項に記載の高周波信号伝送用同軸ケーブル。
【発明の詳細な説明】
【技術分野】
【０００１】
本発明は、高周波信号の伝送に好適な高周波信号伝送用同軸ケーブルに関する。
【背景技術】
【０００２】
従来技術に係る同軸ケーブルは、外部導体を構成するシールド層が素線を編み込んで形成された編組シールドからなる。この編組シールドでは、素線が交差するようにして網目状に編み込まれていることから、端末処理の際に素線がばらけ難く、端末接続部分でのインピーダンスの変化を抑制することができ、また端末接続部分でのノイズ特性の劣化を抑制することができる。
【０００３】
しかし、編組シールドでは、構造上どうしてもシールド層の厚さが素線径の２倍以上となり、同軸ケーブルの細径化を目指す際に障害となっている。また、シールド層の表面に網目状の隙間が点在するので、例えば、１ＧＨｚ以上の高周波信号を伝送する際の減衰特性が劣化するという課題があった。
【０００４】
これに対して、シールド層が素線を横巻きして形成された横巻きシールドからなる同軸ケーブルでは、シールド層の厚さが素線径と同一となり、また素線が隙間を生じないように巻き付けられているので、同軸ケーブルの細径化を図り、且つ高周波信号に対する減衰特性の劣化を抑制するという観点からは好都合である。
【０００５】
ところが、横巻きシールドは、端末処理の際にばらけ易く、隣接する素線同士の間隔が開いてしまうため、端末接続部分でのインピーダンスが変化して所望のインピーダンス特性が得られず、また端末接続部分でのノイズ特性が劣化してしまうという課題を抱えている。
【０００６】
この課題を解決するために、絶縁層とシールド層との間に接着層を介在させることで、素線を一体化した同軸ケーブルが提案されている（例えば、特許文献１又は２参照）。
【０００７】
この同軸ケーブルによれば、素線が一体化されているので端末処理の際にばらけ難く、端末接続部分でのインピーダンスの変化が少なく所望のインピーダンス特性が得られ、また端末接続部分でのノイズ特性が劣化することは無い。
【先行技術文献】
【特許文献】
【０００８】
【特許文献１】特開平８−１３８４５７号公報
【特許文献２】特開昭５４−５５９１号公報
【発明の概要】
【発明が解決しようとする課題】
【０００９】
ところで、近年は端末処理の高速化が要求されていることから、一度に多数の同軸ケーブルの端末処理を行うことができるように、ＹＡＧレーザ等のレーザ光を使用することにより、多数の同軸ケーブルの素線を一括して切断する方法の採用が望まれている。
【００１０】
一般的に絶縁層を形成する樹脂は、高純度な状態でレーザ光に対して透明であることが多いことから、端末処理の方法として前述した方法を採用する場合には、シールド層の僅かな隙間から漏れたレーザ光が絶縁層を透過して内部導体にまで到達することにより内部導体が損傷して断線に至ることを防止するため、レーザ光を吸収して遮断する働きを持つ着色剤を絶縁層に含有させることが必要となる。
【００１１】
しかしながら、着色剤は絶縁層とは異なる物質であり、また着色剤を絶縁層中に完全に均一に分散させることは技術的に困難であるので、その不均一な着色剤の分散により、絶縁層の誘電率がケーブル長手方向でばらついてしまう。
【００１２】
絶縁層の誘電率がケーブル長手方向でばらつくと、高周波信号を伝送する際の減衰特性が劣化することから、高周波信号の伝送に使用される同軸ケーブルでは着色剤を絶縁層に含有させることはできない。
【００１３】
そこで、本発明の目的は、着色剤を絶縁層に含有させること無く、端末処理の際のレーザ光による内部導体の損傷を防止することが可能な高周波信号伝送用同軸ケーブルを提供することにある。
【課題を解決するための手段】
【００１４】
この目的を達成するために創案された本発明は、導体と、前記導体の周囲に形成された絶縁層と、前記絶縁層の周囲に形成された遮光層と、前記遮光層の周囲に素線を横巻きして形成されたシールド層と、前記シールド層の周囲に形成された被覆層と、を備え、前記シールド層は、前記遮光層に接着固定されている高周波信号伝送用同軸ケーブルである。
【００１５】
前記遮光層は、レーザ光に対して不透明な金属層と、前記金属層の周囲に形成された接着層と、を備えていると良い。
【００１６】
前記遮光層は、レーザ光に対して不透明な樹脂層と、前記樹脂層の周囲に形成された接着層と、を備えていても良い。
【００１７】
前記遮光層は、レーザ光に対して不透明な導電性接着層を備えていても良い。
【００１８】
前記遮光層は、前記接着層又は前記導電性接着層よりも内側に基材となる介在層を更に備え、前記接着層又は前記導電性接着層は、前記介在層よりも低い融点を有していると良い。
【００１９】
前記遮光層は、テープを前記絶縁層の周囲にラップ巻きして形成されていると良い。
【発明の効果】
【００２０】
本発明によれば、着色剤を絶縁層に含有させること無く、端末処理の際のレーザ光による内部導体の損傷を防止することが可能な高周波信号伝送用同軸ケーブルを提供することができる。
【図面の簡単な説明】
【００２１】
【図１】本発明の一実施の形態に係る高周波信号伝送用同軸ケーブルを示す断面図である。
【図２】本発明の一実施の形態に係る高周波信号伝送用同軸ケーブルを示す断面図である。
【図３】金属層又は樹脂層と接着層とを備えるテープを示す断面図である。
【図４】介在層を更に備えるテープを示す断面図である。
【発明を実施するための形態】
【００２２】
以下、本発明の好適な実施の形態を添付図面にしたがって説明する。
【００２３】
図１及び図２に示すように、本実施の形態に係る高周波信号伝送用同軸ケーブル１００は、導体１０１と、導体１０１の周囲に形成された絶縁層１０２と、絶縁層１０２の周囲に形成された遮光層１０３と、遮光層１０３の周囲に素線１０４を横巻きして形成されたシールド層１０５と、シールド層１０５の周囲に形成された被覆層１０６と、を備え、シールド層１０５は、遮光層１０３に接着固定されていることを特徴とする。
【００２４】
この高周波信号伝送用同軸ケーブル１００では、内部導体が導体１０１で構成されており、外部導体がシールド層１０５で構成されている。
【００２５】
導体１０１は、導電性に優れた金属（例えば、銅やアルミニウム）からなる単線又は撚線（図１及び図２では撚線）で構成されている。高周波信号伝送用同軸ケーブル１００が高周波信号の伝送に使用されることを考慮すると、表皮効果の影響を低減することを目的として、表面積の多い撚線を採用することが好ましい。これらの単線又は撚線は、めっき処理が施されためっき線であっても構わない。めっき線としては、例えば、錫めっき線又は銀めっき線を使用することができる。
【００２６】
絶縁層１０２は、高周波信号の伝送に対応するために低誘電率樹脂からなる。低誘電率樹脂としては、誘電率がケーブル長手方向でばらつくことを防止するために、不可避的なものを除いて着色剤等の不純物が含有されていない高純度なものが使用される。また、低誘電率樹脂としては、端末処理の際に絶縁層１０２を容易に露出させることができるように、後述する接着層１０８や導電性接着層１０９と接着し難いフッ素樹脂（例えば、テトラフルオロエチレン・パーフルオロアルキルビニルエーテル共重合体（ＰＦＡ）やテトラフルオロエチレン・ヘキサフルオロプロピレン共重合体（ＦＥＰ））を使用することが好ましい。
【００２７】
遮光層１０３は、レーザ光に対して不透明な金属層又は樹脂層１０７と、金属層又は樹脂層１０７の周囲に形成された接着層１０８と、を備えている（図１参照）。特に、金属層を採用した場合には、シールド層１０５を基板の端子等に半田接続する際に流れ込んだ半田がシールド層１０５及び金属層に接触して導通するため、ノイズ特性を更に向上させることが可能となる。金属層は、例えば、０．１μｍ以上３μｍ以下程度の厚さを有する銅被膜やアルミニウム被膜からなる。樹脂層は、例えば、カーボン粒子、チタン粒子、又は酸化チタン粒子等を主原料とした着色剤を含有する樹脂からなる。接着層１０８としては、例えば、ポリアミド系樹脂からなるホットメルト接着剤を使用することができる。
【００２８】
また、遮光層１０３は、金属層又は樹脂層１０７と接着層１０８とに代えて、レーザ光に対して不透明な導電性接着層１０９を備えていても構わない（図２参照）。導電性接着層１０９を採用した場合には、導電性接着層１０９が接着層１０８の機能も兼ねるため、別途の接着層１０８は不要となる。導電性接着層１０９は、カーボンブラック等の導電性粒子を含有する接着剤からなる。
【００２９】
なお、遮光層１０３は、端末処理の際にレーザ光が導体１０１に到達しないように、レーザ光を吸収（又は反射）して遮光するための機能を発揮するものであれば、具体的な構成は特に限定されるものではない。遮光層１０３の厚さは、高周波信号伝送用同軸ケーブル１００の可撓特性や屈曲特性を考慮して、レーザ光を遮光できる最低限の厚さであれば良い。
【００３０】
また、遮光層１０３は、接着層１０８又は導電性接着層１０９よりも内側に基材となる介在層を更に備え、接着層１０８又は導電性接着層１０９は、介在層よりも低い融点を有していても構わない。この介在層については後述する。
【００３１】
遮光層１０３は、例えば、図３に示すように、テープ３００を絶縁層１０２の周囲にラップ巻きして形成されている。テープ３００は、金属層又は樹脂層１０７と接着層１０８とを備えるか、又は導電性接着層１０９を備えており、接着層１０８又は導電性接着層１０９がシールド層１０５に接触するように接着層１０８又は導電性接着層１０９を外側にしてラップ巻きされている。
【００３２】
また、遮光層１０３は、図４に示すように、接着層１０８又は導電性接着層１０９よりも内側に基材となる介在層４０１を更に備えたテープ４００を絶縁層１０２の周囲にラップ巻きして形成されていても構わない。これにより、テープ４００を補強することができ、巻き付け時にテープ４００が破断等することを防止することが可能となる。
【００３３】
介在層４０１は、４μｍ以上６μｍ以下の厚さを有していることが好ましい。これにより、テープ４００を十分に補強しながら、高周波信号伝送用同軸ケーブル１００の外径が大きくなることを防止することが可能となる。なお、介在層４０１の材料としては、ポリエチレンテレフタレート（ＰＥＴ）が挙げられる。
【００３４】
素線１０４は、導電性に優れた金属（例えば、銅やアルミニウム）からなると共にめっき処理が施されためっき線で構成されており、隣接する素線１０４同士が隙間を生じないように接着層１０８の周囲に横巻きされて横巻シールドとされている。めっき線としては、例えば、錫めっき線又は銀めっき線を使用することができる。
【００３５】
接着層１０８の周囲に素線１０４が横巻きされた時点では、接着層１０８又は導電性接着層１０９は溶融しておらず、シールド層１０５は固定されていないが、シールド層１０５の周囲に被覆層１０６を形成する際の押出成型熱により接着層１０８又は導電性接着層１０９が溶融し、シールド層１０５が固定される。このとき、図１及び図２の左下に拡大して示すように、溶融した接着層１０８又は導電性接着層１０９を素線１０４の周囲に回り込ませて素線１０４を一体化しても良い。
【００３６】
なお、素線１０４が錫めっき線からなる場合には、めっき層を保護するために表面に流動パラフィンが塗布されていることが多く、この流動パラフィンが接着層１０８又は導電性接着層１０９との接着を若干阻害するため、素線１０４が銀めっき線からなる場合と比較してシールド層１０５の除去がより容易になるという利点がある。
【００３７】
被覆層１０６は、フッ素樹脂からなり、３３０℃以上３６０℃以下の押出成型熱で押出被覆されて形成される。押出成型熱が３３０℃以上３６０℃以下と介在層４０１の融点よりも高いが、押出被覆後に直ちに冷却されるため、その押出成型熱で介在層４０１が溶融することは無い。
【００３８】
これまで説明してきた高周波信号伝送用同軸ケーブル１００によれば、絶縁層１０２とシールド層１０５との間にレーザ光を遮光するための遮光層１０３が形成されているため、着色剤を絶縁層１０２に含有させること無く、端末処理の際のレーザ光による導体１０１の損傷を防止することが可能である。
【００３９】
また、高周波信号伝送用同軸ケーブル１００では、シールド層１０５が接着層１０８又は導電性接着層１０９により固定されているため、端末処理の際に素線１０４がばらけ難く、優れた端末処理性を実現することができる。そのため、隣接する素線１０４同士の間隔が開き難く、端末接続部分での電気特性が良好となる。
【符号の説明】
【００４０】
１００  高周波信号伝送用同軸ケーブル
１０１  導体
１０２  絶縁層
１０３  遮光層
１０４  素線
１０５  シールド層
１０６  被覆層
１０７  金属層又は樹脂層
１０８  接着層
１０９  導電性接着層
３００  テープ
４００  テープ
４０１  介在層
【図１】
0005974992.tif 000002
【図２】
0005974992.tif 000003
【図３】
0005974992.tif 000004
【図４】
0005974992.tif 000005